(57)【要約】【課題】複数回に亘るプラグの抜き差しによる端子台の損傷を防止すると共に、電気ソケットの薄型化を達成することできる電気ソケットを提供することである。【解決手段】本発明の電気ソケットは、複数の給電ピンを有するプラグが接続される電気ソケットであり、このソケットは、上面が開口した扁平なケースと、前記ケースの上面を覆うカバープレートを備える。前記ケースには、複数の給電ピンをそれぞれ受ける複数のピン受けが備えられ、前記カバープレートには、前記のピン受けに対応する位置に、前記ピンが貫通するピン孔が形成される。更に、前記ケースには、外部から導入される電線へ接続される複数の端子台が備えられ、各端子台が対応するピン受けに電気的に接続される。端子台をピン孔の延長線から離すとする技術的課題が実現することで、複数回に亘るプラグの抜き差しによる端子台の損傷を防止すると共に、ソケット全体の薄型化が達成される。【選択図】図２
2014182921.tif 000002
【特許請求の範囲】
【請求項１】
複数の給電ピンを有するプラグが接続される電気ソケットであり、
前記ソケットは、上面が開口した扁平なケースと、前記ケースの上面を覆うカバープレートを備え、
前記ケースに、複数の給電ピンをそれぞれ受ける複数のピン受けが備えられ、
前記カバープレートに、前記のピン受けに対応する位置に、前記ピンが貫通するピン孔が形成され、
前記ケースに、外部から導入される電線へ接続される複数の端子台が備えられ、各端子台が対応するピン受けに電気的に接続され、
各ピン受けとこれに対応する端子台とが前記ケース内の２次元平面内で横に並んで配置されて、各端子台をピン孔から隠すようになったことを特徴とする電気ソケット。
【請求項２】
前記の各ピン受けは、ピンの側面に接触する弾性片と、この弾性片の一端から延出する差込片を有し、
前記の端子台は、上壁と下壁とこれらを結合する側壁とを有する角筒形状であり、下壁に端子ねじが結合され、上壁の下面に前記差込片が重複するようになったことを特徴とする請求項１に記載の電気ソケット。
【請求項３】
前記の差込片の先端に、対応する端子台の上壁の端縁に係合して、ピン受けを端子台へ結合する引っ掛け片が形成されたことを特徴とする請求項２に記載の電気ソケット。
【請求項４】
前記の端子台における上壁と下壁との間に形成される開口が、前記ケースの側面に形成した電線孔に連通し、電線孔から導入される電線が端子ねじと前記差込片との間に保持されるように構成されたことを特徴とする請求項２または３に記載の電気ソケット。
【請求項５】
前記のケースには、各ピン受けとこれに対応する端子台が結合した状態で収められる個別の収納室が形成されたことを特徴とする請求項１〜４のいずれかに記載の電気ソケット。
【請求項６】
一つのピン受けは、カバープレートの異なる位置に設けた複数の同電位ピン孔を通してそれぞれ挿入される複数の給電ピンと同電位で接続される複合ピン受けを構成し、
前記複合ピン受けは、細長い一対の前記弾性片と、これらの弾性片の両端をそれぞれ結合する結合片と、一方の結合片から延出する前記の差込片とで構成され、
前記の同電位ピン孔を通して挿入される複数の給電ピンを個別に受ける複数のポケットが、前記一対の弾性片の間に形成され、複数のポケットが弾性片の長手方向に沿って離間して配置されたことを特徴とする請求項２または３に記載の電気ソケット。
【発明の詳細な説明】
【技術分野】
【０００１】
本発明は、複数の給電ピンと接地ピンとを有するプラグを受けるためのソケットに関するものである。
【背景技術】
【０００２】
特許文献１は、３極プラグと２極プラグとの２種類のプラグが接続されるソケットを開示している。このソケットは、３極プラグの３つのピン、２極プラグの２つのピンが貫通するピン孔、各ピンを受けるピン受け、外部の電線が結合される金属製の端子台を備える。ピン受けとこれに対応する端子台は、各ピン孔の延長線上、すなわち、ソケットの高さ方向にそって並んで配置されており、各ピン孔に端子台が露出している。端子台には電線を結合するための端子ねじが備えられ、端子ねじと端子台の上壁との間で電線を保持する。このため、端子ねじの締め付けに伴う応力が端子台の上壁に作用する。この上壁がピン孔に露出しているため、繰り返しプラグの脱着が行われる際に、ピンが上壁に衝突して上壁を傷つける可能性がある。或いは、間違って棒をピン孔に差し込んだりすると、この棒で端子台の上壁を傷つける可能性がある。端子台が傷つけられると表面保護膜がはがれて、錆が生じることになるが、端子ねじの締め付けによる応力を受ける上壁に錆が生じると、応力腐食が助長されて、端子台の破損につながる虞がある。
【先行技術文献】
【特許文献】
【０００３】
【特許文献１】特開２０１２−７４１６３号公報
【発明の概要】
【発明が解決しようとする課題】
【０００４】
本発明の電気ソケットは、複数回に亘るプラグの抜き差しによる端子台の損傷を防止すると共に、電気ソケットの薄型化を達成することを目的としており、端子台をピン孔の延長線から離すことを技術的課題としている。
【課題を解決するための手段】
【０００５】
本発明の電気ソケットは、複数の給電ピンを有するプラグが接続される電気ソケットであり、このソケットは、上面が開口した扁平なケースと、前記ケースの上面を覆うカバープレートを備える。前記ケースには、複数の給電ピンをそれぞれ受ける複数のピン受けが備えられ、前記カバープレートには、前記のピン受けに対応する位置に、前記ピンが貫通するピン孔が形成される。更に、前記ケースには、外部から導入される電線へ接続される複数の端子台が備えられ、各端子台が対応するピン受けに電気的に接続される。
【０００６】
本発明の電気ソケットの特徴とするところは、各ピン受けとこれに対応する端子台とが前記ケース内の２次元平面内で横に並んで配置されて、各端子台をピン孔から隠すようになったことであり、この特徴によって、端子台をピン孔の延長線から離すとする技術的課題が実現され、ピン受けと端子台とが横に配置されることでソケット全体の薄型化が達成される。
【０００７】
好ましくは、前記の各ピン受けは、ピンの側面に接触する弾性片と、この弾性片の一端から延出する差込片を有するように構成される。一方、前記の端子台は、上壁と下壁とこれらを結合する側壁とを有する角筒形状であり、下壁に端子ねじが結合され、上壁の下面に前記差込片が重複することで、ピン受けと端子台とが電気的・機械的に結合される。すなわち、ピン受けに差込片を追加することにより、ピン受けと端子台との結合が容易に行
える。
【０００８】
前記の差込片の先端に、対応する端子台の上壁の端縁に係合して、ピン受けを端子台へ結合する引っ掛け片が形成されることが好ましい。この場合、ピン受けと端子台とを引っ掛け片により接続した状態で、ソケットのケースへ組み込むことができる。
【０００９】
また、本発明の電気ソケットでは、前記の端子台における上壁と下壁との間に形成される開口が、前記ケースの側面に形成した電線孔に連通し、電線孔から導入される電線が端子ねじと前記差込片との間に保持されるように構成されることが好ましい。この構成により、電線を端子台に保持する端子ねじの締め付け力を利用して、差込片を端子台に保持することができ、ピン受けと端子台との結合を強固にすることができる。
【００１０】
更に、前記のケースには、各ピン受けとこれに対応する端子台が結合した状態で収められる個別の収納室が形成されることが好ましく、これにより、ピン受けと端子台とをケースへの組み込みが容易に行える。
【００１１】
本発明の電気ソケットの好ましい態様では、一つのピン受けが、カバープレートの異なる位置に設けた複数の同電位ピン孔を通してそれぞれ挿入される複数の給電ピンと同電位で接続される複合ピン受けを構成している。この複合ピン受けは、細長い一対の前記弾性片と、これらの弾性片の両端をそれぞれ結合する結合片と、一方の結合片から延出する前記の差込片とで構成され、前記の同電位ピン孔を通して挿入される複数の給電ピンを個別に受ける複数のポケットが、前記一対の弾性片の間に形成され、複数のポケットが弾性片の長手方向に沿って離間して配置されている。このため、同電位のピンを複数箇所のポケットで受けるように構成された複合ピン受けをその長手方向の一端で一つの端子台へ結合しながら、端子台をピン孔から隠すことができる。
【発明の効果】
【００１２】
本発明の電気ソケットは、複数回に亘るプラグの抜き差しによる端子台の損傷を防止すると共に、電気ソケットの薄型化を達成することができる。
【図面の簡単な説明】
【００１３】
【図１】本発明の一実施形態に係る電気ソケットの全体図。
【図２】同上の電気ソケットを前方から見た分解斜視図。
【図３】同上において複合ピン受けと給電端子台と端子ねじを示す分解斜視図。
【図４】同上において接地ピン受けと接地端子台と端子ねじを示す分解斜視図。
【図５】（ａ）〜（ｄ）はそれぞれ同上を示し、（ａ）は正面図、（ｂ）は平面図、（ｃ）は底面図、（ｄ）は（ａ）のＡ−Ａ断面での断面図。
【発明を実施するための形態】
【００１４】
本発明の一実施形態に係る電気ソケットを、添付する図面に基づいて説明する。この電気ソケットは、図１に示すように、２つの給電ピン１と一つの接地ピン２を有する三極プラグ３と、２つの給電ピン１を有する２極プラグ４とが共に接続可能となった構造を備え、合計５つのピン孔を備える。
【００１５】
このソケットは、図２に示すように、上面が開口した扁平なケース２０と、ケース２０の上面を覆うカバープレート１０を備え、カバープレート１０にピン孔（１１、１２、１３）が形成されている。ケース２０には、外部の電線に接続される３つの金属製の端子台（５７、６７）と、ピン孔（１１、１２、１３）を介して挿入されるピンを受ける３つのピン受け（５０、６０）が収容される。一つのピン受けは、接地ピン２に接続される接地ピン受け６０であり、残り２つのピン受けは異なるピン孔を通して挿入される２つの同電
位となる給電ピン１と共通して接続される複合ピン受け５０を構成する。
【００１６】
カバープレート１０には、三極プラグの２つの給電ピン１と一つの接地ピン２が挿入される第２給電ピン孔１３、接地ピン孔１１と、２極プラグの２つの給電ピン１が挿入される第１給電ピン孔１２とがそれぞれ異なる位置に形成されている。
【００１７】
端子台は複合ピン受け５０と電気接続する２つの給電端子台５７と、接地ピン受け６０と電気接続する１つの接地端子台６７を含む。給電端子台５７は外部の電気回路につながる給電線が接続されて、複合ピン受け５０を外部の電気回路に接続される。接地端子台６７は外部のアース線に接続されて、接地ピン受け６０をアース線に電気接続する。それぞれの端子台（５７、６７）は、上壁、下壁、一対の側壁を有する角筒状となった導電性の金属枠と、下壁に形成したねじ穴（５９、６９）に挿通される端子ねじ（５７１、６７１）で構成される。給電線やアース線はケース２０の側面に形成した電線孔２５から金属枠内に挿入され、上壁と端子ねじ（５７１、６７１）との間に締め付けられる。各端子台がケース２０に収納される際、各端子台の上壁上面は、カバープレートに押圧される。
【００１８】
複合ピン受け５０は、２種のプラグの給電ピン１と異なる位置で接続されるために構成され、図３に示すように、左右一対の弾性片５４を備え、弾性片５４の長手方向の両端の上端同士が結合片５６で結合される。それぞれの弾性片５４の長手方向の中央部は内側に向けて突出して、この部分に幅狭部５５を形成し、幅狭部５５の両側に異なる給電ピン１が挿入される第１ポケット５１と第２ポケット５２を形成しており、各ポケットを規定する弾性片５４の一部が給電ピン１へ圧接される。一方の結合片５６からは脚片７０が下方に延出し、脚片７０の下端から外方に向けて給電差込片５３が延出する。この給電差込片５３は給電端子台５７の金属枠内で上壁の下面に弾接して、給電端子台５７に電気接続される。給電差込片５３の先端には引っ掛け片５８が形成され、この引っ掛け片５８が給電端子台５７の上壁の端縁に係合することで、複合ピン受け５０と給電端子台５７とが仮止めされた状態で、ケース２０内に組み込まれることを可能にしている。端子ねじ５７１で給電線を給電端子台５７に結合した時には、端子ねじ５７１の締め付け力により、給電差込片５３が端子台の上壁に押し付けられることで、複合ピン受け５０と給電端子台５７とが強固に固定される。
【００１９】
接地ピン受け６０は、図４に示すように、一対の弾性片６４がその一端で結合片６６により結合された構造を有し、弾性片６４の間に接地ピン２を受ける第３ポケット６１が形成される。結合片６６から外方に延出する接地差込片６３が接地端子台６７の上壁下面に圧接されて両者の電気接続がなされる。接地差込片６３の先端に形成した引っ掛け片６８が上壁の端縁に係合することで、接地ピン受け６０と接地端子台６７とが仮止めされた状態で、ケース２０内に組み込まれることを可能にしている。端子ねじ６７１でアース線を接地端子台６７に結合した時には、端子ねじ６７１の締め付け力により、接地差込片６３が接地端子台６７の上壁に押し付けられることで、接地ピン受け６０と接地端子台６７とが強固に固定される。
【００２０】
このように、各ピン受け５０、６０はその一端から延出する差込片５３、６３で対応する端子台５７、６７に電気的に接続されて、各ピン受け５０、６０とこれに対応する端子台５７、６７とが、ケース２０内の２次元平面内、すなわち、ケース２０の高さ方向と直行する平面内で横に並んで配置される。そして、それぞれの端子台５７、６７がカバープレート１０のピン孔（１１、１２、１３）と横にずれることになり、ソケットの薄型化が達成されると共に、端子台（５７、６７）をピン孔（１１、１２、１３）から隠すことができる。この結果、ピン孔（１１、１２、１３）から挿入される給電プラグのピンの先端、あるいは、異物が端子台（５７、６７）の上面に及ぶことがなく、端子台（５７、６７）をこれらの部材との接触による損傷による腐食から保護して、長期に亘る品質の安定性
が計られる。
【００２１】
ケース２０は合成樹脂で成型され、複合ピン受け５０と給電端子台５７との組が収められる左右２つの第１収納室２１と、接地ピン受け６０と接地端子台６７との組が収められる第２収納室２２とを備え、第２収納室２２が２つの第１収納室２１の間に配置され、互いに隔壁によって絶縁されている。各収納室の下端は、各端子台（５７、６７）の端子ねじ（５７１、６７１）に対応する部分でケース２０の底面に開口しており、ケースの底面側から差し込まれる工具によって端子ねじ（５７１、６７１）の締め付けが行われる。それぞれの第１収納室２１はケース２０の左右側面に形成した電線孔２５に連通しており、この電線孔２５から給電線がそれぞれの給電端子台５７に挿入される。第２収納室２２はケース２０の後側面に形成した電線孔２５に連通しており、この電線孔２５から挿入されるアース線が接地端子台６７に挿入される。
【産業上の利用可能性】
【００２２】
本発明の電気ソケットは、複数回に亘るプラグの抜き差しによる端子台の損傷を防止すると共に、電気ソケットの薄型化を達成することができる。
【符号の説明】
【００２３】
１  給電ピン
１０  カバープレート
１１  接地ピン孔（ピン孔）
１２  第１給電ピン孔（ピン孔）
１３  第２給電ピン孔（ピン孔）
２０  ケース
２１  第１収納室（収納室）
２２  第２収納室（収納室）
２５  電線孔
５０  複合ピン受け（ピン受け）
５１  第１ポケット（ポケット）
５２  第２ポケット（ポケット）
５３  給電差込片（差込片）
５４  弾性片
５６  結合片
５７  給電端子台（端子台）
５８  引っ掛け片
５７１  端子ねじ
６０  接地ピン受け（ピン受け）
６１  第３ポケット（ポケット）
６３  接地差込片（差込片）
６４  弾性片
６６  結合片
６７  接地端子台（端子台）
６８  引っ掛け片
６７１  端子ねじ
【図１】
2014182921.tif 000003
【図２】
2014182921.tif 000004
【図３】
2014182921.tif 000005
【図４】
2014182921.tif 000006
【図５】
2014182921.tif 000007